(57)【要約】【課題】  小型化が可能であり、レンズ群を高精度で配置可能な、レンズホルダとシャッタユニットとの結合構造を有するレンズ・シャッタ結合ユニットを提供する。【解決手段】  バレル３から突出するレンズ群４の突出部１６の外周部に、シャッタ羽１２を移動させるためのシャッタ駆動部１４と、ＮＤフィルタ１３を移動させるためのフィルタ駆動部１５とを配置する。シャッタ駆動部１４、フィルタ駆動部１５をレンズ群４の光軸に近い位置（内周部）に配置することができる。シャッタ羽１２やＮＤフィルタ１３の回動中心もレンズ群４の光軸４ｘに近い位置に配置することができ、シャッタ羽１２やＮＤフィルタ１３の小型化が可能となり、退避時のスペースを小さくすることができるためシャッタユニット５の小型化が可能となる。【選択図】      図２
2007108434.tif 000002
【特許請求の範囲】
【請求項１】
光軸方向に移動可能なレンズホルダと、
該レンズホルダのレンズ固定枠部に取付けられるレンズ群と、
該レンズホルダに固定されるシャッタユニットと、
該シャッタユニット内に配置される光量制御部材と、
該光量制御部材が移動して光量制御動作を行うように駆動する駆動部とを有し、
該シャッタユニットには、該光量制御部材に対向する位置に開口部が形成されており、
該レンズホルダのレンズ固定枠部は、該開口部に挿入され、
該レンズ群は、該レンズ固定枠部から該シャッタユニットの光量制御部材方向に突出する突出部を有し、
該駆動部は、該突出部の外周部近傍に配置されることを特徴とするレンズ・シャッタ結合ユニット。
【請求項２】
前記光量制御部材は、前記シャッタユニットの露出開口を遮蔽する位置と、開放する位置とに移動可能なシャッタ羽であることを特徴とする請求項１記載のレンズ・シャッタ結合ユニット。
【請求項３】
前記光量制御部材は、前記シャッタユニット内の光路内位置と、光路から退避する位置とに変位可能なＮＤフィルタであることを特徴とする請求項１記載のレンズ・シャッタ結合ユニット。
【請求項４】
前記光量制御部材は、前記シャッタユニットの露出開口を遮蔽する位置と、開放する位置とに移動可能なシャッタ羽、および該シャッタユニット内の光路内位置と、光路から退避する位置とに変位可能なＮＤフィルタの両方であるとともに、該シャッタ羽を移動させる駆動部と該ＮＤフィルタを移動させる駆動部とがそれぞれ設けられて、前記レンズ群の光軸に対して略対称となる位置に配置されることを特徴とする請求項１記載のレンズ・シャッタ結合ユニット。
【請求項５】
前記レンズ群は複数のレンズで構成されており、
前記レンズ固定枠部から突出するレンズは、該レンズ固定枠部に取付けられるレンズに貼合せられることを特徴とする請求項１〜４のいずれか１つに記載のレンズ・シャッタ結合ユニット。
【請求項６】
前記レンズ群は、前記レンズホルダと別体に構成される筒状のレンズ固定枠部に固定されており、
該レンズ固定枠部が該レンズホルダに固定されていることを特徴とする請求項１〜５のいずれか１つに記載のレンズ・シャッタ結合ユニット。
【請求項７】
前記レンズ固定枠部は、外周に、外径が他の部分より大きい抜け止め部を有することを特徴とする請求項６記載のレンズ・シャッタ結合ユニット。
【請求項８】
前記レンズ固定枠部は、前記光軸方向で前記突出部の反対側に、前記レンズ群に入射する光径を制限する絞り部を有することを特徴とする請求項１〜７のいずれか１つに記載のレンズ・シャッタ結合ユニット。
【請求項９】
前記シャッタユニットは、前記駆動部が配置される側が長辺となる矩形状の外形を有することを特徴とする請求項１〜８のいずれか１つに記載のレンズ・シャッタ結合ユニット。
【請求項１０】
前記レンズホルダは、前記光軸方向の移動を案内するガイド軸を挿入するための軸受け部が一体に形成されていることを特徴とする請求項１〜９のいずれか１つに記載のレンズ・シャッタ結合ユニット。
【発明の詳細な説明】
【技術分野】
【０００１】
本発明は、カメラ等の光学機器に使用され、メカニカルシャッタとレンズホルダとの結合構造を有するレンズ・シャッタ結合ユニットに関する。
【背景技術】
【０００２】
従来から、複数のレンズ群からなる撮影光学系を備えるカメラなどが広く普及している。撮影光学系に入射する光束に基づいて形成される被写体像は、所定の位置に配置される電荷結合素子（ＣＣＤ）等の撮像素子に結像する。このようなカメラにおいては、ズーム機能やオートフォーカス機能等の高機能化、および高解像度化に加え、携帯端末への組込みを容易にするために、更なる小型化が望まれている。そのためには、被写体の輝度に応じて光量を調節するためのシャッタユニット等の光量調整装置の小型化が不可欠となっている。一般に、シャッタユニットのサイズは、露出開口の開口径、露出開口を遮蔽するシャッタ羽やＮＤ（Neutral Density）フィルタ等の配置スペース、およびシャッタ羽やＮＤフィルタ等を稼動させるための駆動装置の配置スペースに依存する。また、一般に、ズーム機能を有するカメラにおいては、上記の開口径を小さくするため、ズームレンズ群とシャッタユニットとが一体的に移動するようになっている。
【０００３】
シャッタユニットの小型化を図るための構成の一例では、レンズ鏡筒（レンズホルダ）の周囲にシャッタ羽を稼動させるステッピングモータを配置している（たとえば、特許文献１参照）。また、シャッタユニットにレンズを高精度で取付けるためのレンズ保持枠（レンズホルダ）の構成も開示されている（たとえば、特許文献２参照）。このレンズ保持枠は、レンズ収納筒とアーム部とを含む。レンズ収納筒は、レンズをその外周を取り囲むように収納するとともに、レンズの他方の面に当接するレンズ支持部が設けられる。アーム部は、レンズ収納筒の外周に一体に形成され、シャッタユニットに設けられる連結部に連結するときに光軸方向に撓んで、レンズ収納筒をシャッタユニットに押しつける。このアーム部の撓みで生じる付勢力により、レンズ支持部とシャッタユニットのレンズ当接面との間にレンズを挟持することでレンズの位置調整と保持を容易としている。
【０００４】
【特許文献１】特開昭６２−１３１２３８号公報（第１図、第２図）
【特許文献２】特開２００２−３１８３３５号公報（図１、図２）
【発明の開示】
【発明が解決しようとする課題】
【０００５】
特許文献１に開示されている構成では、レンズホルダの外周部にシャッタ羽の駆動装置を配置する。レンズホルダは、レンズを収納するために厚みを有する。したがって、レンズの外径よりも、レンズホルダの厚み分だけさらに外周側に駆動装置を配置しなければならず、シャッタユニットの十分な小型化を行えない。また、シャッタ羽の駆動装置が光軸から離れた位置に配置され、シャッタ羽の回転中心が光軸から離れるため、シャッタ羽自体を大きくする必要が生じ、シャッタユニットの小型化が困難となる。
【０００６】
特許文献２に開示された構成では、シャッタユニットにレンズを位置合わせするために、レンズの位置調整が必要であり、組立てが煩雑となる。また、シャッタユニットの小型化を図るための構成は開示されていない。
【０００７】
本発明は以上のような事情を考慮してなされたものであり、本発明の目的は、小型化が可能であり、レンズ群を高精度で配置可能な、レンズホルダとシャッタユニットとの結合構造を有するレンズ・シャッタ結合ユニットを提供することである。
【課題を解決するための手段】
【０００８】
本発明は、光軸方向に移動可能なレンズホルダと、
該レンズホルダのレンズ固定枠部に取付けられるレンズ群と、
該レンズホルダに固定されるシャッタユニットと、
該シャッタユニット内に配置される光量制御部材と、
該光量制御部材が移動して光量制御動作を行うように駆動する駆動部とを有し、
該シャッタユニットには、該光量制御部材に対向する位置に開口部が形成されており、
該レンズホルダのレンズ固定枠部は、該開口部に挿入され、
該レンズ群は、該レンズ固定枠部から該シャッタユニットの光量制御部材方向に突出する突出部を有し、
該駆動部は、該突出部の外周部近傍に配置されることを特徴とするレンズ・シャッタ結合ユニットである。
【０００９】
本発明に従えば、レンズ・シャッタ結合ユニットは、レンズホルダと、レンズ群と、シャッタユニットと、光量制御部材と、駆動部とを有する。なお、本発明のレンズ群は、単体のレンズの場合も含むものとする。レンズ群は、光軸方向に移動可能なレンズホルダのレンズ固定枠部に取付けられる。レンズ群をシャッタユニットではなくレンズ固定枠部に取付けて保持するため、レンズ群を高精度で取付けることができる。シャッタユニット内には光量制御部材が配置され、駆動部による駆動で、移動して光量制御動作を行う。レンズホルダのレンズ固定枠部は、シャッタユニットの光量制御部材に対向する位置に形成される開口部に挿入される。開口部に挿入されるレンズ固定枠部からは、さらに光量制御部材方向に、レンズ群の突出部が突出する。光量制御部材は、レンズ群の突出部に近い位置で光量制御動作を行うことができる。駆動部は、突出部の外周部付近に配置されるので、レンズ固定枠部の外周部付近に配置するよりも、レンズ固定枠部の厚み分だけ光軸に近付けることができ、シャッタユニットの小型化を図ることができる。また、レンズ群の光軸に近い位置に光量制御部材の回転中心を配置することができ、光量制御部材の小型化が図れて、光量制御部材が配置されるシャッタユニットの小型化も可能となる。
【００１０】
また本発明で、前記光量制御部材は、前記シャッタユニットの露出開口を遮蔽する位置と、開放する位置とに移動可能なシャッタ羽であることを特徴とする。
【００１１】
本発明に従えば、露出開口を遮蔽する位置と開放する位置とに移動可能なシャッタ羽根の駆動部を、レンズ群の光軸に近い位置に配置して、露出開口でレンズユニットの光路を開閉するシャッタユニットの小型化を図ることができる。
【００１２】
また本発明で、前記光量制御部材は、前記シャッタユニット内の光路内位置と、光路から退避する位置とに変位可能なＮＤフィルタであることを特徴とする。
【００１３】
本発明に従えば、シャッタユニット内の光路内位置と光路から退避する位置とに変位可能なＮＤフィルタの駆動部を、レンズ群の光軸に近い位置に配置して、レンズユニットの光路内で光線の可視スペクトル部分の各波長に対してほぼ均等に透過を抑制し、光量制御を行うシャッタユニットの小型化を図ることができる。
【００１４】
また本発明で、前記光量制御部材は、前記シャッタユニットの露出開口を遮蔽する位置と、開放する位置とに移動可能なシャッタ羽、および該シャッタユニット内の光路内位置と、光路から退避する位置とに変位可能なＮＤフィルタの両方であるとともに、該シャッタ羽を移動させる駆動部と該ＮＤフィルタを移動させる駆動部とがそれぞれ設けられて、前記レンズ群の光軸に対して略対称となる位置に配置されることを特徴とする。
【００１５】
本発明に従えば、シャッタユニット内での光量制御を、シャッタ羽とＮＤフィルタとの両方で行い、それぞれの駆動部を略対称となる位置に配置して、シャッタユニットのスペースを有効に利用し、シャッタユニットの小型化を図ることができる。
【００１６】
また本発明で、前記レンズ群は複数のレンズで構成されており、
前記レンズ固定枠部から突出するレンズは、該レンズ固定枠部に取付けられるレンズに貼合せられることを特徴とする。
【００１７】
本発明に従えば、突出部となるレンズをレンズ固定枠部に取付けられるレンズに貼合せるので、突出部となるレンズはレンズ固定枠部に取付ける必要がなくなり、突出部を長くして、光量制御部材の駆動部を配置するスペースをより広くすることができる。
【００１８】
また本発明で、前記レンズ群は、前記レンズホルダと別体に構成される筒状のレンズ固定枠部に固定されており、
該レンズ固定枠部が該レンズホルダに固定されていることを特徴とする。
【００１９】
本発明に従えば、レンズ群を、レンズホルダとは別体のレンズ固定枠部に固定する。別体のレンズ固定枠部でのレンズ群の固定は、レンズ固定枠部がレンズホルダに一体化されている場合よりも、高精度に行うことができるので、レンズ群内での傾きや位置ずれを低減することができる。
【００２０】
また本発明で、前記レンズ固定枠部は、外周に、外径が他の部分より大きい抜け止め部を有することを特徴とする。
【００２１】
本発明に従えば、レンズ固定枠部の外周に、外径が他の部分より大きい抜け止め部を有するので、抜け止め部をレンズホルダとシャッタユニットとの間で挟み込めば、落下時の衝撃等によるレンズ固定枠部のずれなどを防止することができる。
【００２２】
また本発明で、前記レンズ固定枠部は、前記光軸方向で前記突出部の反対側に、前記レンズ群に入射する光径を制限する絞り部を有することを特徴とする。
【００２３】
本発明に従えば、レンズ固定枠部には、光軸方向で突出部の反対側に、レンズ群に入射する光径を制限する絞り部を有するので、独立した絞り部を設ける場合よりも部品点数の低減を図ることができる。レンズ固定枠部にはレンズ群を高精度で配置することができるので、絞り部の位置も高精度で管理することができる。
【００２４】
また本発明で、前記シャッタユニットは、前記駆動部が配置される側が長辺となる矩形状の外形を有することを特徴とする。
【００２５】
本発明に従えば、シャッタユニットは矩形状の外径を有するので、カメラなどとして携帯機器への組込みを容易にすることができる。矩形状の外形のうち、長辺となる側に駆動部が配置されるので、シャッタユニットのスペースを有効に利用することができる。
【００２６】
また本発明で、前記レンズホルダは、前記光軸方向の移動を案内するガイド軸を挿入するための軸受け部が一体に形成されていることを特徴とする。
【００２７】
本発明に従えば、レンズホルダには、光軸方向の移動を案内するガイド軸を挿入するための軸受け部が一体に形成されているので、軸受け部とレンズ群の光軸との位置精度を管理することで、レンズホルダとともにレンズ群を移動する際に、光軸ずれを低減することができる。
【発明の効果】
【００２８】
本発明によれば、突出部の近傍に光量制御部材の駆動部を配置することができるため、駆動部をレンズ群の光軸に近い位置である内周部に配置することができ、シャッタユニットの小型化を図ることができる。また、レンズ群の光軸に近い位置に光量制御部材の回転中心を配置することができ、光量制御部材の小型化が図れ、光量制御部材の小型化に伴うシャッタユニットの小型化も能となる。さらには、レンズ群をシャッタユニットではなくレンズ固定枠部で保持しているため、レンズ群を高精度で取付けることができる。
【００２９】
また本発明によれば、突出部の近傍にシャッタ羽の駆動部を配置することができるため、シャッタユニットの小型化を図ることができる。
【００３０】
また本発明によれば、突出部の近傍にＮＤフィルタの駆動部を配置することができるため、シャッタユニットの小型化を図ることができる。
【００３１】
また本発明によれば、駆動部を、レンズ群の光軸に対して略対称となる位置に配置することにより、シャッタユニットのスペースをより有効に利用でき、シャッタユニットの小型化を図ることができる。
【００３２】
また本発明によれば、突出部となるレンズに貼合せレンズを使用することで、貼合せレンズのうちの一枚をレンズ固定枠部に保持させるだけでよく、突出部を長くすることができ、光量制御部材の駆動部を配置するスペースをより広くすることができるため、シャッタユニットのさらなる小型化を図ることができる。
【００３３】
また本発明によれば、レンズホルダとは別体の筒状のレンズ固定枠部にレンズ群を固定することで、レンズ郡内でのレンズ間チルトや軸ずれを低減することが容易となり、高精度でのレンズ取り付けが可能となる。
【００３４】
また本発明によれば、レンズホルダと別体としたレンズ固定枠部に抜け止め部を形成するので、レンズホルダとシャッタユニットとの間で挟み込むことができ、たとえば落下時の衝撃等によるレンズ固定枠部のずれを防止することができる。
【００３５】
また本発明によれば、レンズ固定枠部に絞り機能を付加することで、部品点数の低減を図ることができる。また、レンズ固定枠部にはレンズ群が高精度で配置されているため、絞り部の位置も高精度で管理することができる。
【００３６】
また本発明によれば、シャッタユニットを矩形状とすることで、シャッタユニットの体積を低減することができ、また、レンズ・シャッタ結合ユニットを含むカメラ自体を、携帯端末などへの組込みに適した矩形状とすることが容易となる。
【００３７】
また本発明によれば、レンズホルダに軸受けを一体に形成し、軸受けとレンズ群光軸との位置精度を管理することで、レンズ群を移動しても光軸ずれの変動を低減することができる。
【発明を実施するための最良の形態】
【００３８】
図１および図２は、本発明の実施の一形態であるレンズ・シャッタ結合ユニットの概略的な構成を示す。図１はレンズホルダとシャッタユニットの結合構造を、分解斜視の状態で示し、図２はレンズホルダとシャッタユニットとの結合時の断面構成を示す。
【００３９】
図１に示すように、レンズホルダ１のホルダ開口部２には、レンズ固定枠部であるバレル３が接着固定される。バレル３には、レンズ群４が圧入や接着により固定されている。レンズ群４は、たとえば３枚のレンズ４ａ，４ｂ、４ｃで構成されており、このうちのシャッタユニット５側の２枚のレンズ４ｂ，４ｃは、予め互いに接着固定されている貼合せレンズとなっている。シャッタユニット５には、バレル３が挿入される開口部６が設けられる。レンズホルダ１とシャッタユニット５とが結合すると、固定螺子７で固定される。シャッタユニット５には、固定螺子７での締結のための下穴８が設けられる。レンズホルダ１には、側方に延びる回転止め１ａやＦＰＣ（Flexicible Print Circuit）固定部９なども設けられる。バレル３のレンズユニット１側は、開口径が減少して絞り部３ａが形成されている。
【００４０】
レンズホルダ１は、シャッタユニット５と一体に、レンズ群４を光軸４ｘ方向に移動させて撮影光学系を撮影倍率に変倍（ズーミング）、あるいはピント合わせ（フォーカシング）を行うことができるようになっている。レンズホルダ１、バレル３およびシャッタユニット５は、たとえば合成樹脂材料で形成される。レンズ４ａ，４ｂ，４ｃは、透明なガラスや合成樹脂で形成される。固定螺子７は、金属や合成樹脂で形成される。
【００４１】
図２に示すように、シャッタユニット５の中央には、バレル３の一部が挿入される開口部６、露出開口１０、フィルタ開口１１がそれぞれ設けられている。露出開口１０とフィルタ開口１１との間には、移動することにより露出開口１０を遮蔽する複数のシャッタ羽１２と、移動することによりフィルタ開口１１を覆い、光量を減光するＮＤフィルタ１３とが配置されている。
【００４２】
レンズホルダ１は、バレル３の一部がシャッタユニット５の開口部６に挿入されるように、シャッタユニット５に結合されている。シャッタユニット５には、図１に示すように下穴８が形成されており、レンズホルダ１が２つの固定螺子７によってシャッタユニット５に固定される。レンズホルダ１とシャッタユニット５との位置合わせは、シャッタユニット５の下穴８周囲に形成された凸部と、この凸部に勘合するようにレンズホルダ１に形成された凹部により行われる。
【００４３】
シャッタユニット５内には、破線で示すように、シャッタ羽１２を移動させるためのシャッタ駆動部１４と、ＮＤフィルタ１３を移動させるためのフィルタ駆動部１５とが配置されている。レンズ群４のうち、露出開口１０側のレンズ４ｃは、その外表面の一部がバレル３から突出する突出部１６を有している。この突出部１６において、シャッタユニット５の開口部６が狭くなっている。突出部１６の外周部には、シャッタ駆動部１４と、フィルタ駆動部１５とが配置されている。
【００４４】
シャッタ駆動部１４とフィルタ駆動部１５とは、シャッタ羽１２やＮＤフィルタ１３を駆動するためのソレノイド（図示せず）を有しており、コイル（図示せず）への通電により鉄心（図示せず）を変位させる。シャッタユニット５のカバー１７の背面には、レバー（図示せず）が回動自在に保持されている。レバーは、鉄心の駆動によって回動するようにその一端を鉄心の端部に当接させる。また、レバーの他端には、カバー１７に設けられたスリット（図示せず）から突出する突起（図示せず）が設けられており、その突起は、シャッタ羽１２やＮＤフィルタ１３と係合し、レバーが回動することによって、シャッタ羽１２やＮＤフィルタ１３を回動させる。これによって、シャッタ羽１２やＮＤフィルタ１３はシャッタレバーと連動し、ソレノイドをオンオフさせることによって、露出開口１０やフィルタ開口１１を開閉させることができる。シャッタユニット５には、ソレノイドをオンオフさせるための電気信号を入力するための可撓性プリント配線基板であるＦＰＣ（図示せず）が配置されており、レンズホルダ１とシャッタユニット５とを固定した後に、レンズホルダ１に形成されたＦＰＣ固定部９に固定されている。以上のようなシャッタ羽１２やＮＤフィルタ１３の駆動方法は一例であり、たとえばステッピングモータ等を使用して駆動しても良い。
【００４５】
突出部１６の外周部に、シャッタ羽１２を移動させるためのシャッタ駆動部１４と、ＮＤフィルタ１３を移動させるためのフィルタ駆動部１５とを配置することにより、シャッタ駆動部１４、フィルタ駆動部１５をレンズ群４の光軸に近い位置（内周部）に配置することができるため、シャッタユニット５の小型化が可能となる。また、シャッタ羽１２やＮＤフィルタ１３の回動中心もレンズ群４の光軸に近い位置に配置することができ、シャッタ羽１２やＮＤフィルタ１３の小型化が可能となり、退避時のスペースを小さくすることができるためシャッタユニット５の小型化が可能となる。なお、図１および図２に示す実施の形態では、ＮＤフィルタ１３を使用する例を示しながら、ＮＤフィルタ１３の代わりに開口絞りを使用する、あるいはシャッタ羽１２のみを使用するような構成でも良い。
【００４６】
図３は、本発明の実施の他の形態としてのレンズ・シャッタ結合ユニットの主要部分となるレンズ２４およびバレル２３を含む断面構成を示す。レンズホルダ１およびシャッタユニット５は、図１および図２の実施の形態と同様のものを使用する。レンズ２４は図１に示すような３枚構成である必要はなく、１枚のみのレンズ２４の外周部の一部をバレル３で固定し、光軸２４ｘの一方への突出部１６を形成しても良い。光軸２４ｘの他方には、絞り部２３ａを設ける。但し、上記のように貼合せレンズ４ｂ、４ｃを使用することで、バレル３によりレンズ４ｂのみを保持すればよく、突出部１６の突出量を大きくでき、シャッタ駆動部１４やフィルタ駆動部１５の配置スペースがより広がることから、より好ましい。
【００４７】
図４は、図１の実施の形態のように、シャッタ駆動部１４とフィルタ駆動部１５との両方を使用する場合のシャッタユニット５での駆動部の配置位置の例を示す。両方の駆動部を開口部６の外周部でレンズ群４の光軸に対して略対称となる位置に配置することで、シャッタユニット５のスペースを有効に利用できるため好ましい。シャッタユニット５は、その外形をシャッタ駆動部１４あるいはフィルタ駆動部１５が配置される側が長辺となる矩形形状とすることが好ましい。このようにすることで、シャッタユニット５の体積を低減することができ、また、レンズ・シャッタ結合ユニットを備えるカメラ自体を携帯電話等の携帯端末への組み込みに適した矩形状とすることが容易となる。なお、シャッタユニット５の外形サイズは、一例として、図４の長手方向が１３ｍｍ、短手方向が８ｍｍ、厚み方向が３ｍｍ程度となる。
【００４８】
図５は、レンズホルダ１の移動方法を示す。レンズ群４の光軸に平行に案内軸１８と副軸１９が配置されている。案内軸１８および副軸１９は、たとえば金属の棒材である。案内軸１８はレンズホルダ１の軸受け２０に、副軸１９はレンズホルダ１の回転止め１ａに通されている。レンズホルダ１は、図示しない駆動装置により光軸方向に駆動され、案内軸１８により案内され、光軸方向に移動する。シャッタユニット５ではなく、レンズ群４の取り付け部材であるレンズホルダ１に軸受け２０を形成することで、レンズ群４を高精度に移動させることができる。また、シャッタユニット５の一部分を切り欠き、この部分に案内軸１８や副軸１９を配置するようにしてもよい。このような構成とすることで、レンズ・シャッタ結合ユニットを含むカメラ全体のさらなる小型化を図ることが可能となる。
【００４９】
図６は、本発明の実施のさらに他の形態としてのレンズ・シャッタ結合ユニットに使用するバレルの異なる構成を示す。バレル３３は、図１および図２や図３で示すバレル３，２３のように単純な円筒形状ではなく、外周に外径が一部拡大した拡大部３４を有する。レンズホルダ１およびシャッタユニット５は、図１および図２と同様なものを使用する。拡大部３４を、図２でレンズホルダ１とシャッタユニット５の間に生じている間隙の位置に形成すれば、レンズホルダ１とシャッタユニット５との間で挟持することができる。拡大部３４を挟持することで、バレル３３を固定し、落下衝撃等によるバレル３３のずれを防止することができる。またバレル３３からのレンズ群４の突出部１６の反対側に絞り部３３ａを形成しても良い。絞り部３３ａでレンズ群４に入射する光線の光径を制限することによって、別途、絞りを配置する必要がなくなり、部品点数の低減を図ることができる。また、レンズ群４はバレル３３の内径に位置合わせされて固定されるため、レンズ群４と絞り部３３ａとを高精度で位置合わせすることができる。なお、図１および図２と、図３のバレル３，２３でも、絞り部３ａとレンズ群４または絞り部２３ａとレンズ２４とは、同様に高精度で位置合わせすることができる。
【００５０】
以上の各形態では、レンズ固定枠部としてレンズホルダ１と別体のバレル３，３３を利用した構成を示しているけれども、これに限定されるものではなく、レンズホルダと一体にレンズ固定枠部を形成し、レンズ群４を直接取付けても良い。特にレンズ群４が１枚のレンズの場合は、レンズホルダに直接レンズを取付けることが好ましい。
【００５１】
以上のように、本発明のレンズ・シャッタ結合ユニットでのレンズホルダとシャッタユニットとの結合構造では、シャッタユニットの小型化が可能となり、同構造を用いたカメラなどのさらなる小型化を図ることができる。また、レンズ群を高精度で移動させることができ、カメラなどの高解像度化や組立の簡易化を図ることもができる。
【図面の簡単な説明】
【００５２】
【図１】本発明の実施の一形態であるレンズ・シャッタ結合ユニットの概略的な構成を示す分解斜視図である。
【図２】図１のレンズ・シャッタ結合ユニットの概略的な構成を示す光軸に平行な側面断面図である。
【図３】本発明の実施の他の形態としてのレンズ・シャッタ結合ユニットの主要部分となるレンズ２４およびバレル２３を含む光軸に平行な側面断面図である。
【図４】図１の実施の形態のように、シャッタ駆動部１４とフィルタ駆動部１５との両方を使用する場合のシャッタユニット５での駆動部の配置位置の例を示す光軸に垂直な正面図である。
【図５】図１のレンズホルダ１の移動方法を示す斜視図である。
【図６】本発明の実施のさらに他の形態としてのレンズ・シャッタ結合ユニットに使用するバレルの異なる構成を示す斜視図である。
【符号の説明】
【００５３】
１  レンズホルダ
３，２３，３３  バレル
３ａ，２３ａ，３３ａ  絞り部
４  レンズ群
４ａ，４ｂ，４ｃ，２４  レンズ
４ｘ，２４ｘ  光軸
５  シャッタユニット
６  開口部
１０  露出開口
１１  フィルタ開口
１２  シャッタ羽
１３  ＮＤフィルタ
１４  シャッタ駆動部
１５  フィルタ駆動部
１６，２６  突出部
１８  案内軸
２０  軸受け
【図１】
2007108434.tif 000003
【図２】
2007108434.tif 000004
【図３】
2007108434.tif 000005
【図４】
2007108434.tif 000006
【図５】
2007108434.tif 000007
【図６】
2007108434.tif 000008